(57)【要約】無線通信システムのための方法及び装置は初めに、例えば物理ダウンリンク共有チャネル（ＰＤＳＣＨ）や物理アップリンク共有チャネル（ＰＵＳＣＨ）のような共有データチャネル（ＳＤＣＨ）に割り当てられたリソースの増加に従って、ＡＣＫＣＨに割り当てられるリソースを増加させる。その結果、ＡＣＫに割り当てられるリソースは、予め定められた量に制限される。
2010508783.tif 000002
【特許請求の範囲】
【請求項１】
無線通信システムにおいて動作可能な装置であって、
共有データチャネル（ＳＤＣＨ）に割り当てられたリソースの増加に従って、ＡＣＫに割り当てられるリソースを増加させる手段と、
前記ＡＣＫに割り当てられるリソースを制限する手段と
を備える装置。
【請求項２】
請求項１に記載の装置において、
前記ＳＤＣＨは、物理ダウンリンク共有チャネル（ＰＤＳＣＨ）か、物理アップリンク共有チャネル（ＰＵＳＣＨ）かのうちの１つである装置。
【請求項３】
請求項１に記載の装置において、
前記ＡＣＫに割り当てられるリソースを制限する手段は、周波数における直交符号又は時間における直交符号のうちの少なくとも１つの予め定められた量にリソースを制限する装置。
【請求項４】
請求項１に記載の装置において、
前記リソースは直交リソースである装置。
【請求項５】
請求項１に記載の装置において、
前記リソースは、タイムスロット、周波数帯域幅、又は直行符号のうちの少なくとも１つである装置。
【請求項６】
ｅノードＢである請求項１に記載の装置。
【請求項７】
請求項１に記載の装置において、
前記ＡＣＫに割り当てられる直交リソースを増加させる手段は、前記装置によって用いられる各共有データチャネルのためのＡＣＫに割り当てられる直交リソースを増加させ、前記ＡＣＫに割り当てられる直交リソースを制限する手段は、前記各共有データチャネルのためのＡＣＫに割り当てられる直交リソースを制限する装置。
【請求項８】
無線通信システムにおいて用いられる方法であって、
ＳＤＣＨに割り当てられたリソースの増加に従って、ＡＣＫＣＨに割り当てられるリソースを増加させることと、
前記ＡＣＫＣＨに割り当てられたリソースをキャップすることと
を備える方法。
【請求項９】
請求項８に記載の方法において、
前記ＳＤＣＨでデータを送信することと、前記データが、無線通信ネットワークに接続された遠隔装置によって正しく受信された場合、ＡＣＫのインジケーションを受信することとを更に備える方法。
【請求項１０】
請求項９に記載の方法において、
予め定められた期間内にＡＣＫのインジケーションを受信しなかった場合、前記ＳＤＣＨでデータを再送信することを更に備える方法。
【請求項１１】
請求項８に記載の方法において、
前記ＳＤＣＨは、ＰＤＳＣＨか、ＰＵＳＣＨかのうちの少なくとも１つである方法。
【請求項１２】
請求項８に記載の方法において、
前記ＡＣＫＣＨに割り当てられたリソースをキャップすることは、周波数における直交符号か、時間における直交符号かのうちの少なくとも１つの予め定められた量に制限される方法。
【請求項１３】
請求項８に記載の方法において、
前記リソースは、直交リソースである方法。
【請求項１４】
請求項８に記載の方法において、
前記リソースは、タイムスロットか、周波数帯域幅か、直交符号かのうちの少なくとも１つである方法。
【請求項１５】
請求項８に記載の方法において、
前記ＳＤＣＨに割り当てられたリソースの増加に従って、前記ＡＣＫＣＨに割り当てられるリソースを増加させることは、ＴＤＭを用いて実行される方法。
【請求項１６】
複数の共有データチャネルについて実行される請求項８に記載の方法。
【請求項１７】
機械によって実行されると、前記機械に、
無線通信システムにおいてＡＣＫに割り当てられた直交リソースをキャップすること
を含む動作を実行させる命令群を備えるコンピュータプログラム製品。
【請求項１８】
請求項１７に記載のコンピュータプログラム製品において、
前記動作は更に、前記無線通信システムにおいて、ＳＤＣＨに割り当てられたリソースの増加に従って、ＡＣＫに割り当てられる直交リソースの数を増加させることを含むコンピュータプログラム製品。
【請求項１９】
請求項１７に記載のコンピュータプログラム製品において、
前記無線通信システムは、ＦＤＭＡに基づくコンピュータプログラム製品。
【請求項２０】
無線通信システムにおいて動作可能な装置であって、
共有データチャネル（ＳＤＣＨ）に割り当てられたリソースの増加に従って、ＡＣＫに割り当てられるリソースを増加させることと、
前記ＡＣＫに割り当てられるリソースを制限することと
のために構成された１つ又は複数のプロセッサと、
前記プロセッサに接続され、データを格納するメモリと
を備える装置。
【請求項２１】
請求項２０に記載の装置において、
前記ＡＣＫに割り当てられるリソースを制限することは、予め定められた直交リソースの量に制限することである装置。
【請求項２２】
請求項２０に記載の装置において、
前記１つ又は複数のプロセッサは更に、共有データチャネル（ＳＤＣＨ）に割り当てられたリソースの増加に従って、ＡＣＫに割り当てられるリソースを増加させるように構成された装置。
【請求項２３】
請求項２０に記載の装置において、
前記共有データチャネルは、ＰＤＳＣＨか、ＰＵＳＣＨかのうちの少なくとも１つである装置。
【請求項２４】
請求項２０に記載の装置において、
ｅノードＢとアクセス端末とのうちの１つである装置。
【請求項２５】
前記無線通信システムは、ＯＦＤＭＡかＳＣ−ＦＤＭＡかのうちの少なくとも１つに基づく請求項２０に記載の装置。
【発明の詳細な説明】
【技術分野】
【０００１】
以下の説明は、一般に無線通信に関し、特に、アクノレッジメント（ＡＣＫ）を送るために用いられる直交リソースをキャップすることに関する。
【背景技術】
【０００２】
無線通信システムは、例えば音声、データ等のような様々なタイプの通信コンテンツを提供するために、広く開発されている。典型的な無線通信システムは、利用可能なシステムリソース（例えば、帯域幅、送信電力）の共有によって、多くのユーザとの通信をサポートすることができる多元接続システムであることができる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥ  システム、直交周波数分割多重（ＯＦＤＭ）、ローカル化周波数分割多重（ＬＦＤＭ）、直交周波数分割多元接続（ＯＦＤＭＡ）システム等を含むことができる。
【０００３】
無線通信システムにおいて、ノードＢ（すなわち基地局）は、ダウンリンクでユーザ機器（ＵＥ）へデータを送信し、アップリンクでＵＥからのデータを受信することができる。ダウンリンク（ＤＬ）（すなわち順方向リンク）は、ノードＢからＵＥへの通信リンクを称し、アップリンク（ＵＬ）（すなわち逆方向リンク）は、ＵＥからノードＢへの通信リンクを称する。ノードＢは、例えば、ＵＥ及び／又はコアネットワークからのアクノレッジメント（ＡＣＫ）、システムリソースの割当てのような非データ情報を送ることもできる。同様にＵＥは、ダウンリンクでのデータ送信をサポートするために、及び／又はその他の目的のために、非データ情報をノードＢへ送ることができる。
【０００４】
ＵＥとノードＢとの間で交換される非データ情報の１つのタイプがアクノレッジメントである。アクノレッジメントは、他方のエンドが情報を正しく受信したことを示すために、ＡＣＫＣＨを経由して送信することができる。予め定められた時間内にアクノレッジメントが受信されなかった場合、データは、遠隔受信機へと再送信されうる。
【発明の概要】
【０００５】
本願は、２００６年１０月３１日出願の“A METHOD AND APPARATUS FOR REDUCING OVERHEAD BASED ON ACK CHANNEL”と題された米国特許仮出願第６０／８６３，７８９号の利益を主張する。上記出願全体が、参照によって本願に組み込まれる。
【０００６】
以下は、１つ又は複数の実施形態の基本的な理解を提供するために、そのような実施形態の簡略化した概要を提供する。この概要は、意図された実施形態全ての広範囲な概観ではなく、全ての実施形態の重要な要素や決定的な要素を特定することも、任意又は全ての実施形態の範囲を線引きすることも意図されていない。この概要のただ１つの目的は、後に示されるより詳細な説明の前置きとして、１つ又は複数の実施形態のいくつかの概念を簡略化された形式で表すことである。
【０００７】
局面によると、無線通信のための方法は、共有データチャネル（ＳＤＣＨ）に割り当てられたリソースの増加に従って、アクノレッジメントチャネル（ＡＣＫＣＨ）に割り当てられるリソースを増加させる。共有データチャネルは、物理ダウンリンク共有チャネル（ＰＤＳＣＨ）又は物理アップリンク共有チャネル（ＰＵＳＣＨ）のうちの１つであることができる。ＡＣＫＣＨに割り当てられたリソースは、実質的にキャップされる。
【０００８】
局面によると、無線通信システムにおいて動作可能な装置は、共有データチャネル（ＳＤＣＨ）に割り当てられた直交リソースの増加に従って、ＡＣＫに割り当てられる直交リソースを増加させる手段と、ＡＣＫに割り当てられた直交リソースを制限する手段とを備える。
【０００９】
別の局面によると、コンピュータプログラム製品は、機械によって実行されると、その機械に、無線通信システムにおいてＡＣＫに割り当てられた直交リソースをキャップすることを含む動作を実行させる命令群を備える。
【００１０】
上記及び関連する目的を達成するために、１つ又は複数の実施形態は、以下で完全に説明され、特に特許請求の範囲において示される特徴を備える。以下の記述及び添付図面は、１つ又は複数の実施形態のある例示的局面を詳細に説明する。しかしこれらの局面は、様々な局面の原理が用いられうる様々な方法のうちのいくつかでしかなく、説明された局面は、そのような局面全て及びそれらの均等物を含むことが意図されている。
【図面の簡単な説明】
【００１１】
【図１】図１は、本明細書で説明される様々な局面に従う無線通信システムを示す。
【図２】図２は、本明細書における１つの局面に従う多元接続無線通信システム内の順方向リンク及び逆方向リンクを示す。
【図３】図３は、本明細書に開示した１つの局面に従う、共有データチャネル（ＳＤＣＨ）及び関連するＡＣＫチャネルへのリソースの割当て例を示す。
【図４】図４は、本明細書に開示した無線ネットワーク環境における装置の方法を示す。
【図５】図５は、本明細書に開示した無線ネットワーク環境におけるデータ送信の方法を示す。
【図６】図６は、１つ又は複数の局面に従う典型的なユーザ機器（ＵＥ）システムを示す。
【図７】図７は、１つ又は複数の局面に従う典型的なアクセスポイント（ＡＰ）システムを示す。
【図８】図８は、１つ又は複数の局面に従う無線通信環境に関連する典型的なシステムを示す。
【発明を実施する形態】
【００１２】
ここで、様々な局面が図面に関連して説明され、同一の参照符号が、全体を通して同一の要素を称するために用いられる。以下の記述において、説明目的のために、１つ又は複数の局面の完全な理解を提供するために多くの具体的な詳細が記載される。しかしながら、そのような局面は、これら具体的な詳細なしでも実現されうることが明確である。他の例において、周知の構成及びデバイスが、１つ又は複数の局面の説明を容易にするためにブロック図形式で示される。
【００１３】
更に、本開示の様々な局面が以下で説明される。本明細書における教示は、様々な広範囲の形式で具現化されうること、また、本明細書に開示された任意の特定の構成及び／又は機能は、単なる典型例であることが明らかとなるべきである。本明細書における教示に基づいて、当業者は、本明細書に開示した局面が他の任意の局面から独立して実現されうることと、これら局面のうちの２つ又はそれ以上が様々な方法で結合されうることとをよく理解するべきである。例えば、本明細書で説明される任意の数の局面を用いて方法を実行し、装置を実現することができる。更に、本明細書で説明した局面のうちの１つ又は複数以外に、あるいはそれらに加えて、他の構成及び／又は機能を用いて、装置を実現することができ、方法を実行することができる。例えば、本明細書で説明される方法、デバイス、システム、及び装置のうちの多くは、アドホック展開（deployed）無線通信環境又はアンプランド（unplanned）／セミプランド（semi-planned）展開無線通信環境に関して説明される。当業者は、同様の技術が、他の通信環境にも適用できることをよく理解するべきである。
【００１４】
本願において用いられるように、「構成要素」、「システム」等の用語は、コンピュータ関連エンティティ、又はハードウェア、ソフトウェア、実行中のソフトウェア、ファームウェア、ミドルウェア、マイクロコード、及び／又はこれらの任意の組合せを称するように意図されている。例えば、構成要素は、プロセッサ上で実行中の処理、プロセッサ、オブジェクト、実行可能形式、実行スレッド、プログラム、及び／又はコンピュータでありうるが、それらに限定されない。１つ又は複数の構成要素が、処理及び／又は実行のスレッド内に存在することができ、構成要素は、１つのコンピュータにローカル化されるか、及び／又は、２つ又はそれ以上のコンピュータに分散されることができる。また、これらの構成要素は、そこに格納した様々なデータ構成を有する様々なコンピュータ読取可能媒体から実行することができる。これら構成要素は、１つ又は複数のデータ（例えば、信号によって、ローカルシステムや、分散型システム内の別の構成要素とインタラクトしている１つの構成要素のデータ、及び／又は他のシステムを備えた例えばインターネットのようなネットワークを介して別の構成要素とインタラクトしている１つの構成要素からのデータ）のパケットを有する信号に従うような遠隔処理及び／又はローカル処理によって通信することができる。更に、本明細書で説明されたシステムの構成要素は、本明細書に関して説明される様々な局面、目的、利点等の達成を容易にするために並べ替えられる、及び／又は追加の構成要素によって補完されることができ、当業者によってよく理解されるように、与えられた図面内に示す構成そのものに限定されない。
【００１５】
更に、様々な局面が、ユーザ機器に関連して本明細書で説明される。ユーザ機器は、加入者システム、加入者ユニット、モバイル局、モバイル、遠隔局、遠隔端末、アクセス端末、ユーザ端末、ユーザエージェント、ユーザデバイス、又はユーザ機器とも称されることができる。ユーザ機器は、セルラー電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、又は、無線モデムや、処理デバイスとの無線通信を容易にする同様のメカニズムに接続されたその他の処理デバイスであることができる。
【００１６】
更に、本明細書で説明される様々な局面又は特徴は、標準的なプログラミング技術及び／又はエンジニアリング技術を用いる製造物品、装置、又は方法として実現されうる。本明細書で用いられるような「製造物品」という用語は、任意のコンピュータ読取可能デバイス、キャリア、又は媒体からアクセス可能なコンピュータプログラムを包括することが意図されている。例えばコンピュータ読取可能媒体は、磁気記憶デバイス（例えば、ハードディスク、フロッピー（登録商標）ディスク、磁気ストリップ等）、光ディスク（例えば、コンパクトディスク（ＣＤ）、デジタル汎用ディスク（ＤＶＤ）等）、スマートカード、及びフラッシュメモリデバイス（例えば、カード、スティック、キードライブ等）を含むことができるが、それらに限定されない。加えて、本明細書で説明される様々な記憶媒体は、１つ又は複数のデバイス及び／又は情報を格納するその他の機械読取可能媒体を表すことができる。「機械読取可能媒体」という用語は、無線チャネル、及び、命令及び／又はデータを格納、包含、及び／又は搬送することができるその他様々な媒体を含むことができるが、それらに限定されない。
【００１７】
更に、本明細書において「典型的」という言葉は、例、実例、又は例証として提供することを意味するように用いられる。本明細書で「典型的」として説明される局面又は設計は、必ずしも他の局面又は設計に対して好適又は有利であると解釈されるわけではない。むしろ、典型的という言葉の使用は、具体的な様式で概念を表すことが意図される。本願において用いられるように、「又は」（"or"）という用語は、排他的な「又は」ではなく、包括的な「又は」を意味するように意図されている。すなわち、別の意味が明記されたり、文脈から明確である場合以外は、「ＸはＡ又はＢを用いる」という表現は、任意の本来の包括的な並べ替えを意味するように意図されている。つまり、ＸはＡを用い、ＸはＢを用い、あるいはＸはＡ及びＢを用いるという場合、「ＸはＡ又はＢを用いる」という表現は上記例の何れをも満たす。更に、本願及び特許請求の範囲で用いられるような“ａ”及び“ａｎ”という冠詞は一般に、別の意味が明記されたり、単一の形式を示すことが文脈から明確である場合以外は、「１つ又は複数」を意味するように解釈されるべきである。
【００１８】
本明細書で説明される技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々な無線通信ネットワークに用いることができる。「ネットワーク」及び「システム」という用語は、しばしば置換可能に用いられる。ＣＤＭＡネットワークは、例えばユニバーサル地上無線アクセス（Universal Terrestrial Radio Access）（ＵＴＲＡ）、ｃｄｍａ２０００等を実現することができる。ＵＴＲＡは、広帯域ＣＤＭＡ（Ｗ−ＣＤＭＡ）及び低チップレート（ＬＣＲ）を含む。ｃｄｍａ２０００は、ＩＳ−２０００規格、ＩＳ−９５規格、及びＩＳ−８５６規格をカバーする。ＴＤＭＡネットワークは、例えばグローバル・システム・フォー・コミュニケーション（ＧＳＭ）のような無線技術を実現することができる。ＯＦＤＭＡネットワークは、例えば次世代（Evolved）ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）等のような無線技術を実現することができる。ＵＴＲＡ、Ｅ−ＵＴＲＡ、及びＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを用いる近々公開されるＵＭＴＳである。ＵＴＲＡ、Ｅ−ＵＴＲＡ、ＧＳＭ、ＵＭＴＳ、及びＬＴＥは、“3rd Generation Partnership Project”（３ＧＰＰ）と名づけられた組織からの文書で説明される。ｃｄｍａ２０００は、“3rd Generation Partnership Project 2”（３ＧＰＰ２）と名づけられた組織からの文書で説明される。これらの様々な無線技術及び規格は、当該技術において周知である。明確化のために、本技術のある局面は、ＬＴＥにおけるアップリンク送信に関して以下で説明され、３ＧＰＰ用語が以下の説明の多くに用いられる。
【００１９】
単一キャリア周波数分割多元接続（ＳＣ−ＦＤＭＡ）は、単一キャリア変調及び周波数領域等値化を用いる技術である。ＳＣ−ＦＤＭＡは、ＯＦＤＭＡシステムと同様の性能を有し、特に、ＯＦＤＭＡシステムと全体的に同じ複雑さを有する。ＳＣ−ＦＤＭＡ信号は、その固有の単一キャリア構造によって、より低いピーク対平均電力比（ＰＡＰＲ）を有する。ＳＣ−ＦＤＭＡは、送信電力効率の観点から、低ＰＡＰＲがモバイル端末に多大な利益を与えるアップリンク通信において特に注目を集めている。ＳＣ−ＦＤＭＡは目下、３ＧＰＰロング・ターム・エボリューション（ＬＴＥ）又は次世代ＵＴＲＡにおけるアップリンク多元接続スキームのために動作することが仮定されている。
【００２０】
ＬＴＥは、ダウンリンク上で直交周波数分割多重（ＯＦＤＭ）を用い、アップリンク上で単一キャリア周波数分割多重（ＳＣ−ＦＤＭＡ）を用いる。ＯＦＤＭ及びＳＣ−ＦＤＭＡは、システム帯域幅を、一般にトーン、値域等とも称される複数（Ｎ個）の直交サブキャリアに分割する。各サブキャリアは、データをとともに変調される。一般に変調記号は、ＯＦＤＭの場合、周波数領域内で送られ、ＳＣ−ＦＤＭの場合、時間領域内で送られる。ＬＴＥの場合、隣接するサブキャリア間の間隔が決定され、サブキャリアの総数（Ｎ）は、システム帯域幅に依存しうる。１つの設計において、５ＭＨｚのシステム帯域幅の場合Ｎ＝５１２であり、１０ＭＨｚのシステム帯域幅の場合Ｎ＝１０２４であり、２０ＭＨｚのシステム帯域幅の場合Ｎ＝２０４８である。一般に、Ｎは任意の整数値であることができる。
【００２１】
図１は、複数の基地局１１０と複数の端末１２０とを備える、例えば１つ又は複数の局面に関連して用いられうるような無線通信システム１００を示す。基地局は一般に、端末と通信する固定局であり、アクセスポイント、ノードＢ、あるいはその他の用語で呼ばれることもできる。各基地局１１０は、１０２ａ、１０２ｂ、及び１０２ｃと符号が付された３つの地理的エリアとして示される特定の地理的エリアのための通信カバレージを提供する。「セル」という用語は、この用語が用いられる文脈によって、基地局及び／又は基地局のカバレージエリアを称することができる。システム容量を向上させるために、基地局カバレージエリアは、複数のより小さなエリア（例えば、図１のセル１０２ａと一致する３つの小さなエリア）１０４ａ、１０４ｂ、及び１０４ｃに分割することができる。各小さなエリアは、それぞれの基本トランシーバサブシステム（ＢＴＳ）によってサービス提供されうる。「セクタ」という用語は、この用語が用いられる文脈によって、ＢＴＳ及び／又はＢＴＳのカバレージエリアを称することができる。セクタ化されたセルの場合、通常、そのセルのセクタ全てのＢＴＳが、そのセルのための基地局内にともに配置される。本明細書で説明される送信技術は、セクタ化セルを用いるシステムと、非セクタ化セルを用いるシステムとに用いることができる。簡略化のために、以下の説明において、「基地局」という用語は一般に、セクタにサービス提供する固定局、及びセルにサービス提供する固定局に用いられる。
【００２２】
端末１２０は一般に、システム全体にわたって散在し、各端末は、固定式又はモバイルであることができる。端末は、ユーザ機器、モバイル局、ユーザ機器、ユーザデバイス、又はその他何らかの用語で称されうる。端末は、無線デバイス、セルラー電話、携帯情報端末（ＰＤＡ）、無線モデムカード等であることができる。各端末１２０は、ゼロ、１、又は複数の基地局と、与えられた任意の時間にダウンリンク及びアップリンクで通信することができる。ダウンリンク（すなわち順方向リンク）は、基地局から端末への通信リンクを称し、アップリンク（すなわち逆方向リンク）は、端末から基地局への通信リンクを称する。
【００２３】
図２を参照すると、１つの局面に従う多元接続無線通信システムが示される。アクセスポイント２００（ＡＰ）は、１つが２０４と２０６とを含み、別の１つが２０８と２１０とを含み、更に別の１つが２１２と２１４とを含む、複数のアンテナグループを含む。図２において、各アンテナグループについて２つのアンテナのみが示されるが、それより多い又は少ない数のアンテナを各アンテナグループについて用いることもできる。アクセス端末２１６（ＡＴ）は、アンテナ２１２及び２１４と通信し、アンテナ２１２及び２１４は、順方向リンク２２０を介してアクセス端末２１６へ情報を送信し、逆方向リンク２１８を介してアクセス端末２１６からの情報を受信する。アクセス端末２２２は、アンテナ２０６及び２０８と通信し、アンテナ２０６及び２０８は、順方向リンク２２６を介してアクセス端末２２２へ情報を送信し、逆方向リンク２２４を介してアクセス端末２２２からの情報を受信する。周波数分割二重通信（ＦＤＤ）システムにおいて、通信リンク２１８、２２０、２２４、及び２２６は、通信のために異なる周波数を用いることができる。例えば順方向リンク２２０は、逆方向リンク２１８によって用いられる周波数と異なる周波数を用いることができる。時分割二重通信（ＴＤＤ）システムにおいて、通信リンク２１８、２２０、２２４、及び２２６は、通信のために異なるタイムスロットを用いることができる。
【００２４】
各アンテナのグループ及び／又はそれらが通信するように設計されたエリアはしばしば、アクセスポイントのセクタと称される。実施形態において、アンテナグループの各々は、アクセスポイント２００によってカバーされるエリアのセクタ内のアクセス端末と通信するように設計される。
【００２５】
順方向リンク２２０及び２２６を介する通信において、アクセスポイント２００の送信アンテナは、異なるアクセス端末２１６及び２２４のための順方向リンクの信号対雑音比を改善するために、ビーム形成を用いる。また、自身のカバレージ全体にランダムに散在するアクセス端末への送信にビーム形成を用いるアクセスポイントは、自身のアクセス端末全てへ単一のアンテナを介して送信するアクセスポイントよりも、近隣セル内のアクセス端末への干渉が少なくなる。
【００２６】
順方向リンク及び逆方向リンク上で送信されたデータは、様々な論理チャネルに分解される。局面において、論理チャネルは、制御チャネル及びトラヒックチャネルに分類される。論理制御チャネルは、システム制御情報をブロードキャストするＤＬチャネルであるブロードキャスト制御チャネル（ＢＣＣＨ）を備える。ページング情報を転送するＤＬチャネルであるページング制御チャネル（ＰＣＣＨ）。１つ又はいくつかのＭＴＣＨのための制御情報と、マルチメディア・ブロードキャスト及びマルチメディア・サービス（ＭＢＭＳ）スケジューリングとを送信するために用いられるポイント・トゥ・マルチポイントＤＬチャネルであるマルチキャスト制御情報（ＭＣＣＨ）。一般に、ＲＲＣ（ラジオ・リソース・コントローラ）接続の確立後、このチャネルは、ＭＢＭＳを受信するＵＥにしか用いられない。専用制御チャネル（ＤＣＣＨ）は、専用制御情報を送信するポイント・トゥ・ポイント双方向チャネルであり、ＲＲＣ接続を有するＵＥによって用いられる。１つの局面において、論理トラヒックチャネルは、１つのＵＥ専用の、ユーザ情報を転送するポイント・トゥ・ポイント双方向チャネルである専用トラヒックチャネル（ＤＴＣＨ）である。
【００２７】
局面において、トランスポートチャネルは、ＤＬとＵＬとに分類される。ＤＬトランスポートチャネルは、ブロードキャストチャネル（ＢＣＨ）、１つ又は複数のダウンリンク共有データチャネル（ＤＬ−ＳＤＣＨ）、及びページングチャネル（ＰＣＨ）を備える。ＵＬトランスポートチャネルは、ランダムアクセスチャネル（ＲＡＣＨ）、要求チャネル（ＲＥＱＣＨ）、及び１つ又は複数のアップリンク共有データチャネル（ＵＬ−ＳＤＣＨ）を備える。ＰＨＹチャネルは、ＤＬチャネルとＵＬチャネルとのセットを備える。
【００２８】
１つの局面におけるＤＬ  ＰＨＹチャネルは、共通パイロットチャネル（ＣＰＩＣＨ）、同期化チャネル（ＳＣＨ）、共通制御チャネル（ＣＣＣＨ）、１つ又は複数の物理ＤＬ共有制御チャネル（ＰＤＳＣＨ）、マルチキャスト制御チャネル（ＭＣＣＨ）、共有ＵＬ割当チャネル（ＳＵＡＣＨ）、アクノレッジメントチャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、及びロードインジケータチャネル（ＬＩＣＨ）のうちの１つ又は複数を備える。
【００２９】
１つの局面によると、ＵＬ  ＰＨＹチャネルは、物理ランダムアクセスチャネル（ＰＲＡＣＨ）、チャネル品質インジケータチャネル（ＣＱＩＣＨ）、アクノレッジメントチャネル（ＡＣＫＣＨ）、アンテナ・サブセット・インジケータ・チャネル（ＡＳＩＣＨ）、共有要求チャネル（ＳＲＥＱＣＨ）、１つ又は複数の物理ＵＬ共有データチャネル（ＰＵＳＣＨ）、及びブロードバンドパイロットチャネル（ＢＰＩＣＨ）のうちの１つ又は複数を備える。
【００３０】
当業者は、例えば高速ＤＬ物理共有データチャネル（ＨＳ−ＰＤＳＣＨ）又は高速ＵＬ物理共有データチャネル（ＨＳ−ＰＵＳＣＨ）のような、これらチャネルの様々な専門タイプが、他の局面において存在しうることを良く理解するであろう。
【００３１】
局面において、単一キャリア波形の（任意の与えられた時間において、チャネルが周波数において隣接又は一様間隔で配置される）低ＰＡＲ特性を保つチャネル構成が提供される。
【００３２】
順方向リンクでデータが送信された後、データの受信が成功したことを示すために、逆方向リンクでＡＣＫが送られる。同様に、逆方向リンクでデータが送信された後、ＡＣＫは順方向チャネルで送られる。しかし、予め定められた期間内にＡＣＫが受信されなかった場合、データは再送信されるので、ＡＣＫの受信は直接アクノレッジされない。
【００３３】
従来、アクノレッジメントチャネル（ＡＣＫＣＨ）のためのリソースに（利用可能リソースの合計によって定まる上限以外の）制限はない。そのため、ＡＣＫＣＨのためのリソースは、関連するＳＤＣＨのためのリソースによって増加する。例えばもしＳＤＣＨリソース全体が１つのユーザに与えられれば、対応する大量のリソースがその後ＡＣＫＣＨに割り当てられる。これらのリソースは、リソースブロック（ＲＢ）となることができ、直交リソース（例えば周波数領域、符号領域、及び／又は時間領域において保持される直交リソース）、周波数帯域幅、又は時間スロットを備えることができる。特に、典型的な直交ＦＤＭＡシステム（ＯＦＤＭＡ又はＳＣ−ＦＤＭＡ）では、データと、対応するＡＣＫＣＨ帯域幅及び周波数位置との間の暗黙の１対１マッピングが存在する。
【００３４】
しかし、ＡＣＫＣＨ内で送信されたＡＣＫは通常、極めて少量のデータ（例えば、アクノレッジされるデータのブロックを示すデータ、データがアクノレッジメントであることを示すインジケーション、及びデータ送信に用いられるその他のルーティング／制御情報）しか含まないので、これは非効率的である。従って、ＡＣＫＣＨ専用のリソースをキャップし、それらのリソースを他のユーザのために再利用すること、及び／又は、それらのリソースをＳＤＣＨへ提供することによって、リソースをより効率的に用いることが可能である。ＡＣＫは、例えば単一のリソースブロック（ＲＢ）内に複数のＡＣＫを含むことによって、ＡＣＫＣＨを介して送ることもできる。
【００３５】
１つの局面において、スケジューラが時間分割多重（ＴＤＭ）動作に連動され、一回に１つ又は少数のユーザである場合、キャッピングは、ＡＣＫオーバヘッドを低減することができる。
【００３６】
キャッピングは、例えば予め定められた量のリソースでのキャッピングのような様々な方式で実行することができる。あるいはキャッピングは、無線通信システムの状態（例えばリソースに対する現在の要求）に依存する動的値でキャップされることができる。
【００３７】
図３は、与えられたユーザに割り当てられたＳＤＣＨリソースの数の増加に従って、対応するＡＣＫＣＨリソースも、ＡＣＫＣＨのためのリソースがキャップされるまで増加することを示す。これらのリソースは、帯域幅（ＦＤＭ）、時間スロット、与えられた帯域幅（ＣＤＭ）内の直交符号の数、又はそれらの組合せであることができる。与えられたユーザに対し、ＡＣＫに割り当てられるリソースの数は、関連するＳＤＣＨに割り当てられたリソースの数の増加に従って増加する。しかし、（例えば、静的又は動的に決定された）ある値を超えると、リソースはキャップオフされる。
【００３８】
特に、図３には、１つの局面に従って割り当てられたリソースのブロック図３００が示される。２つのユーザ（ユーザ０及びユーザ１）は、共有データチャネル（ＳＤＣＨ）及びユーザリソース３０２及び３０４においてそれぞれスケジュールされる。ユーザ０は、ユーザ１の２倍のリソースを用いる。
【００３９】
リソース３１２及び３１４は、それぞれユーザ０及びユーザ１のＡＣＫＣＨに割り当てられた対応するリソースを示す。この場合、２つのユーザが、ＳＤＣＨのリソース全てを用いるようにスケジュールされるが、ユーザ０のＡＣＫＣＨに割り当てられたリソース３１２はキャップされるので、ＡＣＫＣＨに未だ割り当てられていないリソース３１６がある。
【００４０】
図４及び図５を参照すると、本明細書における局面に従う直交リソースの効率的な割当に関する方法が示される。説明の簡略化目的のために、この方法は一連の動作として示され、説明されるが、特許請求された主題に従っていくつかの動作が本明細書に示した順番とは異なる順番で、及び／又は本明細書に示した動作以外の動作と同時に起こることができるように、この方法は、動作の順番によって限定されないことが良く理解される。例えば当業者は、例えば状態図におけるように、方法が、一連の相互関連する状態又は事象としても表現できることをよく理解するであろう。更に、特許請求された主題に従う方法を実現するために、示された動作全てが必要であるわけではない。更に、方法は単一のＳＤＣＨに関して示されたが、この方法は、例えばアップリンクチャネル及びダウンリンクチャネル両方のために実行されるように、複数の共有データチャネルで実行することができることを当業者はよく理解するであろう。
【００４１】
図４を参照すると、局面に従うリソースの効率的な利用を容易にする方法４００の例が示される。局面によると、ブロック４０２で、ＳＤＣＨに与えられた直交リソースの増加に従って、ＡＣＫＣＨのためのリソースが増加させられる。ブロック４０４で、ＡＣＫのためのリソースがキャップされる。リソースは、例えば直交符号又は周波数帯域幅のような予め定められた数のリソースにキャップされうる。
【００４２】
図５を参照すると、１つの局面に従うアクノレッジメントを用いるデータ送信の方法５００の例が示される。局面によると、５０２で、データが共有データチャネル（ＳＤＣＨ）で送信される。共有データチャネルは、物理ダウンリンク共有チャネル（ＰＤＳＣＨ）又は物理アップリンク共有チャネル（ＰＵＳＣＨ）でありうる。ブロック５０４で、方法は、データの受信の成功を示すアクノレッジメントが予め定められた期間内に受信されたかを判定する。アクノレッジメントが予め定められた期間内に受信されないと判定した場合、ブロック５０６で、データは共有データチャネルで再送信される。ブロック５０６の後、又はアクノレッジメントが受信されたと判定すれば、方法はブロック５０８を実行する。ブロック５０８で、方法は、送信する更なるデータがあるかを判定する。ある場合、ブロック５０２へ戻り、ない場合、ブロック５１０へ戻る。
【００４３】
図６は、１つ又は複数の局面に従う、通信ネットワークへのフィードバックを提供することができる典型的なユーザ機器６００を示す。アクセス端末６００は、信号を受信し、この受信信号に一般的な動作（例えばフィルタ、増幅、ダウンコンバート等）を実行する受信機６０２（例えば１つ又は複数のアンテナ）を備える。具体的には、受信機６０２は、送信割当期間の１つ又は複数のブロックに割り当てられるサービスを定義するサービススケジュール、本明細書で説明するようなフィードバック情報を提供するためにダウンリンクリソースのブロックをアップリンクリソースのブロックに相関付けるスケジュール等を受信することもできる。受信機６０２は、受信記号を復調し、それらを評価のためにプロセッサ６０６へ提供することができる復調器６０４を備えることができる。プロセッサ６０６は、受信機６０２によって受信した情報の分析及び／又は送信機６１６によって送信する情報の生成のための専用のプロセッサであることができる。加えてプロセッサ６０６は、アクセス端末６００の１つ又は複数の構成要素を制御するプロセッサ、及び／又は、受信機６０２によって受信した情報を分析し、送信機６１６による送信のための情報を生成し、アクセス端末６００の１つ又は複数の構成要素を制御するプロセッサであることができる。加えてプロセッサ６０６は、受信機６０２によって受信したアップリンクリソースとダウンリンクリソースとの相関関係を解釈し、まだ受信していないダウンリンクブロックを特定し、例えばそのような未受信ブロックを信号に割り当てるビットマップのようなフィードバックメッセージを生成する命令、あるいは、複数のアップリンクリソースの適切なアップリンクリソースを判定するハッシュ関数を分析する命令を実行することができる。
【００４４】
アクセス端末６００は、プロセッサ６０６に動作的に接続され、送受信等をされるデータを格納することができるメモリ６０８を備える。メモリ６０８は、ダウンリンクリソーススケジューリングに関する情報、上記を評価するプロトコル、送信の未受信部分を特定するプロトコル、解読不可能な送信を判定するプロトコル、アクセスポイントへフィードバックを送信するプロトコル等を格納することができる。
【００４５】
本明細書で説明されるデータ記憶装置（例えばメモリ６０８）は、揮発性メモリ又は不揮発性メモリの何れかであることができ、あるいは、揮発性メモリと不揮発性メモリとの両方を含むこともできる。限定ではなく一例として、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、又はフラッシュメモリを含むことができる。揮発性メモリは、外部キャッシュメモリとして動作するランダム・アクセス・メモリ（ＲＡＭ）を含むことができる。限定ではなく一例として、ＲＡＭは、例えば同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、次世代ＳＤＲＡＭ（ＥＳＤＲＡＭ）、同期リンクＤＲＡＭ（ＳＬＤＲＡＭ）、及びダイレクトラムバスＲＡＭ（ＤＲＲＡＭ）のような様々な形式で利用可能である。本システムおよび方法のメモリ６０８は、これらのメモリ及びその他任意の適切なタイプのメモリを備えることが意図されるが、それらに限定されない。
【００４６】
受信機６０２は更に、ダウンリンク送信の１つ又は複数の追加ブロックと、アップリンク送信リソースのブロックとの間のスケジュールされた相関関係を受信することができるマルチプレクスアンテナ６１０に動作的に接続される。マルチプレクスプロセッサ６０６は、第１のダウンリンクブロック及び１つ又は複数の追加のダウンリンクブロックの各々が受信されたか受信されていないかを示すＡＣＫメッセージを、単一のアップリンクリソースを介して提供するマルチデジットビットマップをフィードバックメッセージ内に含むことができる。更にプロセッサ６１２は、本明細書で説明される様々な機能、及びその他の機能を実行することができる。
【００４７】
アクセス端末６００は更に、信号を、例えば基地局、アクセスポイント、別のアクセス端末、遠隔エージェント等に送信する送信機６１６および変調器６１４を備える。プロセッサ６０６とは別に示されるが、信号生成器６１０及びインジケータ評価器６１２は、プロセッサ６０６又は複数のプロセッサ（図示せず）の一部となりうることが理解される。
【００４８】
図７は、直交リソースの効率的な利用を容易にするシステム７００の例である。システム７００は、複数の受信アンテナ７０６を介して１つ又は複数のモバイルデバイス７０４からの信号を受信する受信機７１０と、１つ又は複数の送信アンテナ７０８を介して１つ又は複数のモバイルデバイス７０４へ送信する送信機７２２を備える基地局７０２（例えばアクセスポイント等）を備える。受信機７１０は、受信アンテナ７０６からの情報を受信することができ、更に、まだ受信していないデータパケットや解読不能なデータパケットに関連するフィードバックデータを受信する信号受信部（図示せず）を備えることができる。更に、受信機７１０は、受信した情報を復調する復調器７１２に動作的に関連付けられる。復調された記号は、アップリンクリソースとダウンリンクリソースとの相関付けと、ネットワークからの動的及び／又は静的相関関係の提供とに関する情報、モバイルデバイス７０４（又は異なる基地局（図示せず））との間で送受信するデータ、及び／又は本明細書に示す様々な動作及び機能の実行に関するその他任意の適切な情報を格納するメモリ７１６に接続されたプロセッサ７１４によって分析される。
【００４９】
本明細書で説明された技術は、様々な手段によって実現されうる。例えばこれらの技術は、ハードウェア、ソフトウェア、又はそれらの組合せによって実現することができる。デジタル、アナログ、又はデジタル及びアナログ両方でありうるハードウェアによる実現の場合、チャネル推定のために用いられる処理ユニットは１つ又は複数の特定用途向け集積回路（ＡＳＩＣ）、デジタル信号プロセッサ（ＤＳＰ）、デジタル信号プロセッサデバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、本明細書に示された機能を実行するために設計されたその他の電子ユニット、又はそれらの組合せであることができる。ソフトウェアを用いる場合、本明細書に示された機能を実行するモジュール（例えば、プロセッサ、関数等）によって実現することができる。
【００５０】
本明細書で説明された実施形態は、ハードウェア、ソフトウェア、ファームウェア、ミドルウェア、マイクロコード、又はそれらの任意の組合せによって実現することができる。ハードウェアによる実現の場合、処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブル・ゲート・アレイ（ＦＰＧＡ）、プロセッサ、コントローラ、マイクロコントローラ、マイクロプロセッサ、本明細書で説明された機能を実行するために設計されたその他の電気ユニット、又はそれらの組合せにおいて実現されうる。
【００５１】
実施形態がソフトウェア、ファームウェア、ミドルウェア、マイクロコード、プログラムコード又はコードセグメントによって実現される場合、それらは、例えば記憶構成要素のような機械読取可能媒体に格納されうる。コードセグメントは、手順、関数、サブプログラム、プログラム、ルーチン、サブルーチン、モジュール、ソフトウェアパッケージ、クラス、又は、命令、データ構成あるいはプログラム状態の任意の組合せを表すことができる。コードセグメントは、情報、データ、引数、パラメータ、又はメモリコンテンツを渡す及び／又は受け取ることによって、別のコードセグメント又はハードウェア回路に接続されうる。情報、引数、パラメータ、データ等は、メモリ共有、メッセージパッシング、トークンパッシング、ネットワーク送信等を含む任意の適切な手段を用いて渡され、転送され、あるいは送信されることができる。
【００５２】
ソフトウェアによる実現の場合、本明細書で説明した技術は、本明細書で説明した機能を実行するモジュール（例えば手順、関数等）を用いて実現されうる。ソフトウェアコードは、メモリユニット内に格納され、プロセッサによって実行されうる。メモリユニットは、プロセッサ内に、あるいはプロセッサに外付けで実装することができる。何れの場合にも、プロセッサは、当該技術において周知であるように、様々な手段を介してプロセッサと通信可能であるようにプロセッサに接続されることができる。
【００５３】
図８を参照すると、リソースの効率的な割当を容易にするシステム８００が示される。システム８００は、ＡＣＫＣＨに割り当てられるリソースを制限するモジュール８０２と、オプションとして、共有データチャネルに割り当てられたリソースの増加に従って、ＡＣＫＣＨに割り当てられるリソースを増加させるモジュール８０４とを含むことができる。１つの局面において、これらのモジュールは、複数の共有データチャネルの各々に関連付けられたＡＣＫＣＨに割り当てられるリソースを制御するために用いることができる。モジュール８０２及び８０４は、プロセッサ又は任意の電子デバイスであることができ、メモリモジュール８１０に接続することができる。
【００５４】
上記は、１つ又は複数の局面の例を含む。上記局面を説明する目的のために、構成要素又は方法の考えられる全ての組合せを説明することは不可能であるが、当業者は、様々な局面の更なる組合せ及び並び替えが可能であることを理解することができる。従って、上述した局面は、特許請求の範囲の範囲内であるそのような変更、修正、及び変形例全てを包含することが意図されている。更に、発明を実施する形態又は特許請求の範囲において「含む」という用語が用いられている限り、このような用語は、特許請求の範囲において代わりの言葉として「備える」という用語が用いられる場合、「備える」が解釈されるのと同様に、包括的であることが意図されている。
【図１】
2010508783.tif 000003
【図２】
2010508783.tif 000004
【図３】
2010508783.tif 000005
【図４】
2010508783.tif 000006
【図５】
2010508783.tif 000007
【図６】
2010508783.tif 000008
【図７】
2010508783.tif 000009
【図８】
2010508783.tif 000010
【国際調査報告】
2010508783.tif 000011
2010508783.tif 000012
2010508783.tif 000013